【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
共通の画像処理回路を用いて、動画像データに対する画像処理のバックグラウンドで他の画像データに対する画像処理を行う画像処理装置であって、
画像処理の対象である前記動画像データから、映像の動きの無い静止シーンまたは静止領域を検出する検出手段と、
前記検出手段の検出結果に基づいて、前記画像処理回路で実行する画像処理を、前記動画像データに対する画像処理と前記他の画像データに対する画像処理との間で切り替える制御を行う制御手段と、
を有し、
画像処理の対象となる前記動画像データから前記静止シーンまたは静止領域が検出された場合に、前記制御手段は、前記動画像データの前記静止シーンまたは静止領域に対する画像処理を省略して、その空き時間を前記他の画像データに対する画像処理に割り当てるように前記画像処理回路を制御する
ことを特徴とする画像処理装置。
【請求項２】
表示装置に、前記画像処理された動画像データを出力する出力手段を更に有し、
画像処理の対象となる前記動画像データから前記静止シーンまたは静止領域が検出された場合に、前記出力手段は、前記静止シーンまたは静止領域のデータとして、前フレームのデータを出力する
ことを特徴とする請求項１に記載の画像処理装置。
【請求項３】
前記検出手段は、前記動画像データから、映像の動きの無い静止シーンとして静止フレームを検出し、
画像処理の対象となる前記動画像データから前記静止フレームが検出された場合に、前記制御手段は、前記動画像データの前記静止フレームに対する画像処理を省略して、その空き時間を前記他の画像データに対する画像処理に割り当てるように前記画像処理回路を制御する
ことを特徴とする請求項１または２に記載の画像処理装置。
【請求項４】
前記検出手段は、前記動画像データから、映像の動きの無い静止領域として静止ラインを検出し、
画像処理の対象となる前記動画像データから前記静止ラインが検出された場合に、前記制御手段は、前記動画像データの前記静止ラインに対する画像処理を省略して、その空き時間を前記他の画像データに対する画像処理に割り当てるように前記画像処理回路を制御する
ことを特徴とする請求項１または２に記載の画像処理装置。
【請求項５】
前記画像処理された動画像データにグラフィックデータを合成する合成手段と、
合成するグラフィックデータが更新されたことを検出し、当該検出結果に基づいて、動画像データの少なくとも前記グラフィックデータが合成される領域が静止領域とならないように、前記検出手段の検出結果を補正する補正手段と、
を更に有することを特徴とする請求項１〜４のいずれか１項に記載の画像処理装置。
【請求項６】
前記他の画像データに対する画像処理は、前記動画像データに含まれるサムネイル画像に対応する静止画像データをデコードする処理または解像度変換する処理を含む
ことを特徴とする請求項１〜５のいずれか１項に記載の画像処理装置。
【請求項７】
共通の画像処理回路を用いて、動画像データに対する画像処理のバックグラウンドで他の画像データに対する画像処理を行う画像処理装置の制御方法であって、
画像処理の対象である前記動画像データから、映像の動きの無い静止シーンまたは静止領域を検出する検出ステップと、
前記検出ステップでの検出結果に基づいて、前記画像処理回路で実行する画像処理を、前記動画像データに対する画像処理と前記他の画像データに対する画像処理との間で切り替える制御を行う制御ステップと、
を有し、
画像処理の対象となる前記動画像データから前記静止シーンまたは静止領域が検出された場合に、前記制御ステップでは、前記動画像データの前記静止シーンまたは静止領域に対する画像処理を省略して、その空き時間を前記他の画像データに対する画像処理に割り当てるように前記画像処理回路を制御する
ことを特徴とする画像処理装置の制御方法。
【請求項８】
表示装置に、前記画像処理された動画像データを出力する出力ステップを更に有し、
画像処理の対象となる前記動画像データから前記静止シーンまたは静止領域が検出された場合に、前記出力ステップでは、前記静止シーンまたは静止領域のデータとして、前フレームのデータを出力する
ことを特徴とする請求項７に記載の画像処理装置の制御方法。
【請求項９】
前記検出ステップでは、前記動画像データから、映像の動きの無い静止シーンとして静止フレームを検出し、
画像処理の対象となる前記動画像データから前記静止フレームが検出された場合に、前記制御ステップでは、前記動画像データの前記静止フレームに対する画像処理を省略して、その空き時間を前記他の画像データに対する画像処理に割り当てるように前記画像処理回路を制御する
ことを特徴とする請求項７または８に記載の画像処理装置の制御方法。
【請求項１０】
前記検出ステップでは、前記動画像データから、映像の動きの無い静止領域として静止ラインを検出し、
画像処理の対象となる前記動画像データから前記静止ラインが検出された場合に、前記制御ステップでは、前記動画像データの前記静止ラインに対する画像処理を省略して、その空き時間を前記他の画像データに対する画像処理に割り当てるように前記画像処理回路を制御する
ことを特徴とする請求項７または８に記載の画像処理装置の制御方法。
【請求項１１】
前記画像処理された動画像データにグラフィックデータを合成する合成ステップと、
合成するグラフィックデータが更新されたことを検出し、当該検出結果に基づいて、動画像データの少なくとも前記グラフィックデータが合成される領域が静止領域とならないように、前記検出ステップの検出結果を補正する補正ステップと、
を更に有することを特徴とする請求項７〜１０のいずれか１項に記載の画像処理装置の制御方法。
【請求項１２】
前記他の画像データに対する画像処理は、前記動画像データに含まれるサムネイル画像に対応する静止画像データをデコードする処理または解像度変換する処理を含む
ことを特徴とする請求項７〜１１のいずれか１項に記載の画像処理装置の制御方法。
【手続補正２】
【補正対象書類名】明細書
【補正対象項目名】００１０
【補正方法】変更
【補正の内容】
【００１０】
本発明の画像処理装置は、共通の画像処理回路を用いて、動画像データに対する画像処理のバックグラウンドで他の画像データに対する画像処理を行う画像処理装置であって、画像処理の対象である前記動画像データから、映像の動きの無い静止シーンまたは静止領域を検出する検出手段と、前記検出手段の検出結果に基づいて、前記画像処理回路で実行する画像処理を、前記動画像データに対する画像処理と前記他の画像データに対する画像処理との間で切り替える制御を行う制御手段と、を有し、画像処理の対象となる前記動画像データから前記静止シーンまたは静止領域が検出された場合に、前記制御手段は、前記動画像データの前記静止シーンまたは静止領域に対する画像処理を省略して、その空き時間を前記他の画像データに対する画像処理に割り当てるように前記画像処理回路を制御することを特徴とする。
【手続補正３】
【補正対象書類名】明細書
【補正対象項目名】００１１
【補正方法】変更
【補正の内容】
【００１１】
本発明の画像処理装置の制御方法は、共通の画像処理回路を用いて、動画像データに対する画像処理のバックグラウンドで他の画像データに対する画像処理を行う画像処理装置の制御方法であって、画像処理の対象である前記動画像データから、映像の動きの無い静止シーンまたは静止領域を検出する検出ステップと、前記検出ステップでの検出結果に基づいて、前記画像処理回路で実行する画像処理を、前記動画像データに対する画像処理と前記他の画像データに対する画像処理との間で切り替える制御を行う制御ステップと、を有し、画像処理の対象となる前記動画像データから前記静止シーンまたは静止領域が検出された場合に、前記制御ステップでは、前記動画像データの前記静止シーンまたは静止領域に対する画像処理を省略して、その空き時間を前記他の画像データに対する画像処理に割り当てるように前記画像処理回路を制御することを特徴とする。